(57)【要約】【課題】ロト６に代表される数字選択式宝くじを購入する際に、インターネットに接続可能な携帯端末装置を利用して数字選択式宝くじの購入番号の決定を補助する購入番号選択用携帯端末装置を提供する。【解決手段】携帯端末装置に、数字選択式宝くじの種類を表示し、選択された数字選択式宝くじの種類に応じた数の数字群表示部を表示し、開始指令にもとづき各表示部に対して可変数字を発生し、停止指令にもとづき数字群表示部に可変数字中の選択された数字を表示する。【選択図】　　　　図４
2004094623.tif 000002
【特許請求の範囲】
【請求項１】
数字選択式宝くじの種類を表示し、選択された数字選択式宝くじの種類に応じた数の数字群表示部を表示し、開始指令にもとづき各表示部に対して可変数字を発生し、停止指令にもとづき数字群表示部に可変数字中の選択された数字を表示する数字選択式宝くじの購入番号選択用携帯端末装置。
【請求項２】
上記可変数字が乱数発生手段により発生された数字である請求項１記載の数字選択式宝くじの購入番号選択用携帯端末装置。
【請求項３】
上記数字選択式宝くじの種類が、１〜４３の数字の内から異なる６個を選択するもの、１〜３１の数字の内から異なる５個を選択するもの、３桁（３列）の各桁に０〜９の数字と、申込タイプを併せて選択するもの、４桁（４列の）の各桁に０〜９の数字と、申込タイプを併せて選択するもののいずれかである請求項１または２のいずれかに記載の数字選択式宝くじの購入番号選択用携帯端末装置。
【請求項４】
数字選択式宝くじの売り場情報が表示可能である請求項１〜３のいずれかに記載の数字選択式宝くじの購入番号選択用携帯端末装置。
【請求項５】
上記売り場情報が、購入希望者の現在位置に最寄りの売り場位置情報である請求項４記載の数字選択式宝くじの購入番号選択用携帯端末装置。
【発明の詳細な説明】
【０００１】
【発明の属する技術分野】
本発明は、ロト６に代表される数字選択式宝くじを購入する際に、インターネットに接続可能な携帯端末装置を利用して数字選択式宝くじの購入番号の決定を補助すると共に、売り場情報を提供する購入番号選択用携帯端末装置に関する。
【０００２】
【従来の技術】
数字選択式宝くじには、１〜４３の数字の内から異なる６個を選択するもの（ロト６）、１〜３１の数字の内から異なる５個を選択するもの（ミニロト）、３桁（３列）の各桁に０〜９の数字と、申込タイプ（ストレート、ボックス、セット、ミニ等数字欄に右側に表示）を併せて選択するもの（ナンバーズ３）、４桁（４列の）の各桁に０〜９の数字と、申込タイプを併せて選択するもの（ナンバーズ４）、があるが、いずれのものも、くじ購入希望者が申込カードに表記された数字を鉛筆等筆記具を用いて塗りつぶし、その塗りつぶし部を発券機が読み取り投票券を発行している。
【０００３】
この数字選択式宝くじは、購入希望者自身が当りくじの番号を予測することができること、当選金額が発売額と当選者数とによって著しく異なることなどにより、ゲーム性及び娯楽性があることが従来の宝くじとは大きく異なる点であるが、当たりくじの番号を予測する意思決定の方法としては、購入希望者の誕生日や電話番号や車のナンバーや好きな数字、占い、サイコロ、過去の当り番号などに基づき予測する、或いは、勘に頼ってひらめきで予測するなどが行われている。
【０００４】
また、数字選択式宝くじの売り場も通常の宝くじに比べ限られており、売り場が記憶にないような場合買いそびれてしまうことがあった。
【０００５】
一方、近時ｉモード携帯電話に代表されるインターネットに接続可能な携帯端末装置の普及は著しく、同端末装置は機能的にみても通話機能のみならずデータ通信機能も備えており、ネットワークの端末機器として利用できるものも提供されており、また、インターネット上で運営されているゲームサイトから、有料あるいは無料で、ゲームソフトをパーソナルコンピュータやインターネット通信機能を備えたＰＨＳ、携帯電話等の携帯用通信端末にダウンロードして、各ユーザがゲームを楽しむシステムが利用され始めている。
【０００６】
また、移動体の位置確認装置としてＧＰＳの普及も著しく、精度も向上し携帯端末装置においても利用可能となった。
【０００７】
【発明が解決しようとする課題】
そこで本発明は、上記のようなインターネットに接続可能な携帯端末装置を利用して、数字選択式宝くじを購入する場合における、くじ購入希望者が数字選択式くじの数字選択をする際の意思決定を補助することのできる購入番号選択装置を提供することを課題とし、さらには、購入希望者に最寄りの売り場情報を提供することを課題とする。
【０００８】
【課題を解決するための手段】
上記課題を解決するために、本発明の数字選択式宝くじの購入番号選択用携帯端末装置は、請求項１の発明は、数字選択式宝くじの種類を表示し、選択された数字選択式宝くじの種類に応じた数の数字群表示部を表示し、開始指令にもとづき各表示部に対して可変数字を発生し、停止指令にもとづき数字群表示部に可変数字中の選択された数字を表示することを特徴とする。
【０００９】
また、請求項２の発明は、請求項１の発明において、可変数字が乱数発生手段により発生された数字であることを特徴とし、請求項３の発明は、請求項１または２の発明において、数字選択式宝くじの種類が、１〜４３の数字の内から異なる６個を選択するもの（ロト６）、１〜３１の数字の内から異なる５個を選択するもの（ミニロト）、３桁（３列）の各桁に０〜９の数字と、申込タイプ（ストレート、ボックス、セット、ミニ等数字欄に右側に表示）を併せて選択するもの（ナンバーズ３）、４桁（４列の）の各桁に０〜９の数字と、申込タイプを併せて選択するもの（ナンバーズ４）のいずれかであることを特徴とする。
【００１０】
さらに、請求項４の発明は、請求項１〜３のいずれかの発明において、数字選択式宝くじの売り場情報が表示可能であることを特徴とし、請求項５の発明は、請求項４の発明において、売り場情報が、購入希望者の現在位置に最寄りの売り場位置情報であることを特徴とする。
【００１１】
【発明の実施の形態】
以下、本発明に係る数字選択式宝くじ用購入番号選択装置の実施態様について、図面を参照して詳細に説明するが、本発明の細部の構成はこの実施の態様によって限定されるものではない。
【００１２】
図６は、本発明の数字選択式宝くじの購入番号選択装置（ｉモード携帯端末）によりインターネットを利用する実施形態であり、携帯用端末装置に番号選択用ソフト配信システムの構成を示すブロック図である。このシステムは、ｉモード携帯端末装置１、ドコモ（株）のｉモードサーバ２、ホストコンピュータ３、およびインターネット４より構成されており、ｉモード携帯端末装置１は、購入希望者がインターネット４へアクセスするためのブラウザ内蔵携帯端末装置である。ｉモードサーバ２は、ｉモード携帯端末装置１専用のコンテンツを提供し、またｉモード携帯端末装置１からインターネット４へ接続する。
【００１３】
ホストコンピュータ３は、番号選択用ソフトをデジタルデータとしてインターネット４上からデータ配信するサービスを行うプロバイダであり、宝くじ管理センター７から数字選択式宝くじの発売に必要な情報を受けている。また、インターネット４は、ｉモードサーバ２と、ホストコンピュータ３とを接続し、注文情報のデジタルデータを転送するものである。
【００１４】
また、ホストコンピュータ３は、数字選択式宝くじの管理に必要な処理を行うと同時に、購入希望者に最寄りの売り場情報を提供するためのデータベースを保有しており、ＧＰＳによる購入希望者の位置情報にもとづき最寄りの売り場を検索して配信する機能を備えている。
【００１５】
また、携帯端末装置はＧＰＳ受信機を内蔵しており、ＧＰＳ受信機により、ＧＰＳ衛星５の送信電波を内蔵されたアンテナで受信し、自機の現在位置を算出する。ＧＰＳ受信機により算出した自機位置情報を、ＧＰＳ局６を介してホストコンピュータ３に送信され、宝くじホストコンピュータ３には売り場の位置情報が記憶されており、購入希望者の現在地は携帯端末装置およびＧＰＳ衛星５から得られる位置情報により自動的に特定するか、または携帯端末装置の液晶ディスプレイに表示される地域のリストから、購入希望者が選択し特定する。現在地が特定されると、サーバは、携帯端末装置から送信されてきた位置情報を基に、地図データベースを検索し、購入希望者が現在いる地域の地図と売り場を携帯端末装置に表示させる。
【００１６】
上記構成によって、アプリケーションソフトは携帯端末装置にダウンロードされ以下の処理を行う。
▲１▼入力ボタンが押されたと判断されると、コンピュータにその信号を供給する。
▲２▼これに基づいてＣＰＵが乱数発生用の関数を呼び出し第１の乱数を発生させる。
▲３▼これを液晶ディスプレイに表示する。
▲４▼ＣＰＵが乱数発生用の関数を呼び出し第２の乱数を発生させる。これをで液晶ディスプレイに表示する。この操作を繰り返し実行すると、表示内容がランダムに変化し、遊戯者にはスロットマシーンにように数字が変化して見える。
▲５▼遊技者が再度入力ボタンを押したと判断されると、そのときに表示されていた乱数を予想番号として確定する。
▲６▼所定の時間に入力ボタンが押されないときも、所定の時間の経過時に表示されていた乱数を予想番号として確定する。
▲７▼確定した予想番号を所定の時間点滅表示させ、その後表示させたままにする。
【００１７】
【実施例】
次に、ｉモード携帯端末装置（Ｆ５０３ｉ）１０に適用した実施例を説明するが、ｉモード携帯端末装置１０は、図２（ａ）に示すように、受話口１１、送話口１２、アンテナ１３、液晶ディプレイ１４、ソフトキー１５、コマンドナビゲーションボタン１６、電源／終了ボタン１７、開始ボタン１８、ダイヤルボタン１９等を備えている。
【００１８】
図１は、本実施例のｉモード携帯端末装置を利用した場合の、ダウンロードの際の液晶ディスプレイ１４からなる表示画面の遷移を示すものであり、ホームページにアクセスすると、メニュー画面（図１（ａ））が表示され、メニュー中の希望するメニューを選択（図示の例では▲９▼のｉアプリを選択）すると選択画面（図１（ｂ））が表示され、さらに、希望するメニューを選択するとメニューの内容解説画面（図１（ｃ））が表示される。次にダウンロードの可否が表示（図１（ｄ１、ｄ２））され、ダウンロードが可能な場合には実行画面（図１（ｅ））が表示されるので、実行ボタン（ソフトボタン１５１）を押下げるとダウンロードが実行される。
【００１９】
上記準備が終了した後ホームページにアクセスすると、ダウンロードした数字選択式宝くじの種類を表示した選択画面が表示される。そこで、ナンバーズ系の数字選択式宝くじを選択すると、図２（ａ）の選択画面が表示される。そこで、図２（ａ）の選択画面にもとづいて希望する数字選択式宝くじの種類を選択して、ホストコンピュータに送信すると、ホストコンピュータでは、認証手段においてユーザーの指定したネットワークｉモード携帯端末装置の電話番号が正しいか否かを判断して、正しければネットワークｉモード携帯端末装置に対してサーバーを通じて選択された数字選択式宝くじの番号選択ソフトを配信する。
【００２０】
上記配信を受けた後、ナンバー３を選択すると図２（ｂ）に示すように携帯端末装置の表示画面には３組の回転する風車と弓矢の絵柄が表示される。画面の案内に従ってＧＯボタン（ソフトキー１５１）を押下げると、矢は風車にに向かって発射され（図２（ｃ））、同時に、各風車に対応して乱数発生手段により０〜９の数字がランダムに発生されるが、この実施例では、数字は潜在化されており、外部から視認することはできない。続いて、ＳＴＯＰボタン（ソフトキー１５２）を押下げるか一定時間経過すると風車の回転が停止すると共に、乱数発生手段によって発生された数は顕在化して風車上に表示され（図２（ｄ））ナンバー３の数字列が決定される。
【００２１】
また、ナンバーズ系の数字選択式宝くじを選択すると図３（ａ）の選択画面が表示される（ナンバーズ系であるので図２（ａ）と同一画面）ので、ナンバーズ４を選択すると図３（ｂ）に示すように携帯端末装置の液晶ディスプレイ１４からなる表示画面には４組の回転する風車と弓矢が表示されるので、画面の案内に従ってＧＯボタン（ソフトキー１５１）押下げると、矢は風車にに向かって発射され（図３（ｃ））、同時に、各風車に対応して乱数発生手段により０〜９の数字がランダムに発生されるが、この実施例では、数字は潜在化されており、外部から視認することはできない。続いて、ＳＴＯＰボタン（ソフトキー１５２）を押下げるか一定時間経過すると風車の回転が停止すると共に、乱数発生手段によって発生された数は顕在化して風車上に表示され（図３（ｄ））ナンバー４の数字列が決定される。
【００２２】
さらに、上記準備が終了した後ホームページにアクセスすると、ダウンロードした数字選択式宝くじの種類を表示した選択画面が表示される。そこで、図４（ａ）の選択画面にもとづいて希望する数字選択式宝くじの種類を選択して、ホストコンピュータに送信すると、ホストコンピュータでは、認証手段においてユーザーの指定したネットワークｉモード携帯端末装置の電話番号が正しいか否かを判断して、正しければネットワークｉモード携帯端末装置に対してサーバーを通じて選択された数字選択式宝くじの番号選択ソフトを配信する。
【００２３】
上記配信を受けた後、ロト６を選択すると図４（ｂ）に示すように携帯端末装置の表示画面には６個のボールがが表示されるので、画面の案内に従ってＧＯボタン（ソフトキー１５１）を押下げると、ボール上に１〜４３の数字がランダムに表示され、ＳＴＯＰボタン（ソフトキー１５２）の押下げると数字の変化は停止し、６個のボール上にそれぞれ数字が表示される。
【００２４】
ミニロトを選択すると図５（ｂ）に示すように携帯端末装置の表示画面には５個のボールがが表示されるので、画面の案内に従ってＧＯボタン（ソフトキー１５１）ーを押下げると、ボール上に１〜３１の数字がランダムに表示されるので、ＳＴＯＰボタン（ソフトキー１５２）を押下げると数字の変化は停止し、５個のボール上にそれぞれ数字が表示される。
【００２５】
上記操作によって購入を希望する場合には、図１（ａ）の▲８▼を押し下げると、ホストコンピュータは、ＧＰＳにより購入希望者の現在位置を特定し、データベースに記憶されている売り場の中から最寄りの売り場を抽出し、携帯端末装置に送信する。
【００２６】
なお、この売り場位置情報は文字情報または地図情報として提供され、上記購入番号選択と連動することなく独立した機能として利用することができる。
【００２７】
【発明の効果】
上記構成を備える本発明は、以下のような効果を期待することができる。
▲１▼　ゲーム感覚で購入番号を選択することができ、また、ゲームとしても楽しむことができる。
▲２▼　インターネット通信端末装置を利用し、ゲーム感覚で数字群の選択ができ、また、携帯電話を用いるので数字選択式くじの申込み現場で使用することができる。
▲３▼　売り場情報を得ることができるので、売り場を訪ね歩くことなく購入することができる。
【図面の簡単な説明】
【図１】ダウンロード時の画面の遷移図である。
【図２】ナンバーズ３を選択実行時の画面の遷移図である。
【図３】ナンバーズ４を選択実行時の画面の遷移図である。
【図４】ロト６を選択実行時の画面の遷移図である。
【図５】ミニロトを選択実行時の画面の遷移図である。
【図６】システム概要図である。
【符号の説明】
１　インターネットに接続可能な携帯端末装置
２　サーバ
３　ホストコンピュータ
４　インターネット
５　ＧＰＳ衛星
６　ＧＰＳ局
７　宝くじ管理センター
１０　ｉモード携帯端末装置
１１　受話口
１２　送話口
１３　アンテナ
１４　液晶ディプレイ
１５　ソフトキー
１６　コマンドナビゲーションボタン
１７　電源／終了ボタン
１８　開始ボタン
１９　ダイヤルボタン
【図１】
2004094623.tif 000003
【図２】
2004094623.tif 000004
【図３】
2004094623.tif 000005
【図４】
2004094623.tif 000006
【図５】
2004094623.tif 000007
【図６】
2004094623.tif 000008